(57)【要約】【課題】陰嚢及び陰茎を好適に保持し、頻繁な立ち座りや激しい運動等に際しても、陰茎の型崩れを防止して、直立姿勢を確実に維持するようにした男性用下着を提供する。【解決手段】伸縮性のある生地によって構成され、男性の胴周りＷに沿って配置されるウエスト部１１と左右の脚部Ｌを通す２つの脚挿通孔１２とを有する、前立てのない男性用下着１において、下腹部の前側中央に上下方向に設けられて前方に膨らんで男性性器Ｍを覆う膨出部２０と、膨出部２０に接続されて、男性性器以外の部分を覆う下着本体１０と、膨出部２０の裏面側における下着本体１０と膨出部２０との境界の上端側から下端側に沿って設けられた伸縮性のある一対の壁部３０とを備え、一対の壁部３０は、下着着用時に、膨出部２０ともに男性性器Ｍを囲む収納室Ｒを構成する。【選択図】図５
2014058753.tif 000002
【特許請求の範囲】
【請求項１】
伸縮性のある生地によって構成され、男性の胴周りに沿って配置されるウエスト部と左右の脚部を通す２つの脚挿通孔とを有する、前立てのない男性用下着において、
下腹部の前側中央に上下方向に設けられて前方に膨らんで男性性器を覆う膨出部と、
前記膨出部に接続されて、前記男性性器以外の部分を覆う下着本体と、
前記下着本体及び前記膨出部の裏面側における前記下着本体と前記膨出部との境界の上端側から下端側に沿って設けられた伸縮性のある一対の壁部とを備え、
前記一対の壁部は、下着着用時に、前記膨出部ともに前記男性性器を囲む収納室を構成する、
ことを特徴とする男性用下着。
【請求項２】
前記壁部は、前記境界に沿って弧状に接続された接続部と、前記接続部における上端近傍と下端近傍とを弦状に接続する開放部とを有する、
ことを特徴とする請求項１に記載の男性用下着。
【請求項３】
前記壁部の上端は、下着着用時に、直立姿勢に保持された陰茎の先端よりも上方に位置するように配置されている、
ことを特徴とする請求項１又は２に記載の男性用下着。
【請求項４】
前記壁部の下端は、下着着用時に、陰嚢と肛門の間の会陰部に位置するように配置されている、
ことを特徴とする請求項１ないし３のいずれか１項に記載の男性用下着。
【請求項５】
前記壁部は、前記下端に、前記膨出部の左右方向の中心に向かって延びるとともに前記膨出部に接続された補強接続部を有する、
ことを特徴とする請求項１ないし４のいずれか１項に記載の男性用下着。
【請求項６】
前記膨出部は、上下方向の中間に絞り部を有し、前記絞り部よりも下側の、主に陰嚢を保持する下膨出部と、前記絞り部よりも上側の、主に直立姿勢の陰茎の先端側を保持する上膨出部とを有する、
ことを特徴とする請求項１ないし５のいずれか１項に記載の男性用下着。
【発明の詳細な説明】
【技術分野】
【０００１】
本発明は、男性用下着に関し、詳しくは、着用状態において陰嚢及び陰茎の姿勢をしっかりと保持して、例えば、頻繁な立ち座りや激しい運動時でも陰嚢及び陰茎の姿勢が崩れにくいようにして不快感を低減した男性用下着に関する。
【背景技術】
【０００２】
従来、前立てのないブリーフ，トランクス，サポータ等の男性用下着は、前身頃の中央（前面の中央）における下部に、着用時にドーム状に膨らんで男性性器を収納する膨出部が設けられている。
【０００３】
このような従来の男性用下着は、着用して男性性器を膨出部に収納するに際し、陰茎を、その先端の亀頭が臍部に向かうように直立させ、この直立姿勢を維持したまま、陰茎及び陰嚢を少し引き上げて収納する。
【０００４】
ところが、この従来の男性用下着によると、形状が大きく異なる陰茎と陰嚢とをドーム状の膨出部に一体的に収納するため、陰茎と陰嚢との境界部位に、下着の生地との間にデルタ状の不要な空間ができたり、あるいは空間ができないまでもこの部分の保持力が弱まったりする。このため、立ち座りを繰り返したり、運動を行ったりすると、陰茎は直立姿勢を維持することができなくなり、左又は右に傾いて据わり（収まり）が悪くなって不快感を覚える。さらには、陰茎と陰嚢とが触れあって汗が溜まり、湿疹，皮膚炎，悪臭等の原因となるなど、衛生上の問題も発生する。
【０００５】
このような不快感や衛生上の問題をなくす提案が、例えば、特許文献１になされている。
【０００６】
このものは、男性用ブリーフ（男性用下着）の前面に、上下に長い垂直な皺部を設けることで、あるいは前面の一部を左右に伸びない織物布で形成することで、皺部の上下方向の中間部（以下、皺部中間という。）又は織物布によって、陰茎の下部を自然に支承するものである。すなわち、他の部分よりも左右方向に伸びにくい皺部中間又は織物布によってデルタ状の不要な空間の形成を防止しつつ陰茎の下部を自然に支承するとともに、これら皺部中間又は織物布の上側に形成される第１突出部に陰茎を、また、下側に形成される第２突出部に陰嚢をそれぞれ分離収納するようにしている。
【０００７】
これにより、陰茎の直立姿勢を維持するようにして、不快感や衛生上の問題を解消するようにしている。
【先行技術文献】
【特許文献】
【０００８】
【特許文献１】特表２００４−５０９２４２号公報
【発明の概要】
【発明が解決しようとする課題】
【０００９】
しかしながら、特許文献１によると、それぞれ形状が大きく異なる陰茎及び陰嚢を収納する第１突出部及び第２突出部の形状が略同様の構造であり、また、皺部中間又は織物布が陰茎の下部を支承する構造であるため、頻繁な立ち座りや激しい運動等に対しては、陰茎の直立姿勢を確実に保持するのは難しいという問題がある。
【００１０】
すなわち、引用文献１のものは、左右方向に伸びにくい皺部中間又は織物布で、陰茎の下部を支承しているだけで、たとえ下側の第２突出部に陰嚢を好適に収納できたとしても、これと略同形の第１突出部では、陰嚢とは大きく形状の異なる陰茎を直立姿勢で維持することは難しい。このため直立姿勢を崩した陰茎が皺部中間又は織物布を超えて陰嚢に接触しないようにするためには、皺部中間又は織物布の締め付け力を強く設定することが必要となる。さらに、締め付け力を強く設定することで陰茎が陰嚢に接触するのを防いで、汗等の発生を防止して衛生上の問題は解決することができたとしても、陰茎の直立姿勢が崩れて左又は右によってしまうことを確実に防止することができない。このため、不快感を払拭することができない。また、皺部中間又は織物布によって陰茎の下部を局部的に締め付けるために、着用時に不自然な違和感を感じてしまう。
【００１１】
以上のように、特許文献１によると、陰茎の下部を局部的に締め付けるため、着用時に違和感を感じるとともに、頻繁な立ち座りや激しい運動等によって、陰茎の直立姿勢が崩れて不快感を感じるという問題があった。
【００１２】
そこで、本発明は、陰嚢及び陰茎を好適に保持し、頻繁な立ち座りや激しい運動等に際しても、陰茎の型崩れを防止して、直立姿勢を確実に維持するようにした男性用下着を提供することを目的とするものである。
【課題を解決するための手段】
【００１３】
請求項１に係る発明は、伸縮性のある生地によって構成され、男性の胴周りに沿って配置されるウエスト部と左右の脚部を通す２つの脚挿通孔とを有する、前立てのない男性用下着において、下腹部の前側中央に上下方向に設けられて前方に膨らんで男性性器を覆う膨出部と、前記膨出部に接続されて、前記男性性器以外の部分を覆う下着本体と、前記下着本体及び前記膨出部の裏面側における前記下着本体と前記膨出部との境界の上端側から下端側に沿って設けられた伸縮性のある一対の壁部とを備え、前記一対の壁部は、下着着用時に、前記膨出部ともに前記男性性器を囲む収納室を構成する、ことを特徴とする。
【００１４】
請求項２に係る発明は、請求項１に係る男性用下着において、前記壁部は、前記境界に沿って弧状に接続された接続部と、前記接続部における上端近傍と下端近傍とを弦状に接続する開放部とを有する、ことを特徴とする。
【００１５】
請求項３に係る発明は、請求項１又は２に係る男性用下着において、前記壁部の上端は、下着着用時に、直立姿勢に保持された陰茎の先端よりも上方に位置するように配置されている、ことを特徴とする。
【００１６】
請求項４に係る発明は、請求項１ないし３のいずれか１項に係る男性用下着において、前記壁部の下端は、下着着用時に、陰嚢と肛門の間の会陰部に位置するように配置されている、ことを特徴とする。
【００１７】
請求項５に係る発明は、請求項１ないし４のいずれか１項に記載の男性用下着において、前記壁部は、前記下端に、前記膨出部の左右方向の中心に向かって延びるとともに前記膨出部に接続された補強接続部を有する、ことを特徴とする。
【００１８】
請求項６に係る発明は、請求項１ないし５のいずれか１項に係る男性用下着において、前記膨出部は、上下方向の中間に絞り部を有し、前記絞り部よりも下側の、主に陰嚢を保持する下膨出部と、前記絞り部よりも上側の、主に直立姿勢の陰茎の先端側を保持する上膨出部とを有する、ことを特徴とする。
【発明の効果】
【００１９】
請求項１の発明によれば、膨出部と一対の壁部とによって、男性性器の前面側及び左右の側面側を囲う収納室を構成することができるので、直立姿勢に保持された陰茎に対し、膨出部が主に前方に型崩れするのを防止し、一対の膨出部が主に左右方向に型崩れするのを防止することができる。つまり、陰茎の直立姿勢を良好に保持することができる。
【００２０】
請求項２の発明によれば、下着着用時に、壁部の開放部は、引き延ばされて張力が発生し、下腹部に押し付けられる。これにより、壁部は、陰茎が左右方向に型崩れすることを確実に防止することができる。
【００２１】
請求項３の発明によれば、壁部は、陰茎の先端側が左右方向に倒れることを確実に防止することができる。
【００２２】
請求項４の発明によれば、壁部は、その下端が陰嚢と肛門の間の会陰部に位置しているので、陰嚢と会陰部との境界よりも前側に位置している場合と比較して、開放部が長い距離にわたって下腹部を押圧するので、陰茎の左右方向の型崩れを確実に防止することができる。さらに、陰嚢が脚部における付け根部分に接触することを防止して、接触に起因する不快感を防止することができる。
【００２３】
請求項５の発明によれば、壁部は、補強接続部に対応して、その開放部における下端側が膨出部の左右方向の中心に向かって内側に入り込むので、主に陰嚢部を包みこむようにして確実に保持することができる。さらに、陰嚢部の、脚部における付け根への接触も防止することができる。
【００２４】
請求項６の発明によれば、膨出部は、絞り部よりも下側に位置する下膨出部によって、主に陰嚢を保持し、絞り部よりも上側に位置する上膨出部によって直立姿勢の陰茎を保持し、陰嚢と陰茎との間の窪んだ部位を絞り部によって保持することができるので、男性性器全体を一層確実に保持することができる。
【図面の簡単な説明】
【００２５】
【図１】着用状態の男性用下着１を前側左斜め上方から見た斜視図である。
【図２】未着用の男性用下着１の、下着本体１０の前側部分（前身頃）と後側部分（後身頃）とを合わせた状態における正面図である。
【図３】未着用の男性用下着１の、膨出部２０の形状が自然になるように、下着本体１０の前側部分（前身頃）を後側部分（後身頃）よりも下げて合わせた状態における正面図である。
【図４】図２に示す男性用下着１を表裏反転させた状態の正面図である。
【図５】図３に示す男性用下着１を表裏反転させた状態の正面図である。
【図６】（Ａ）は着用状態の男性用下着１における左壁部３０Ａ（壁部３０）を模式的に説明する図であり、（Ｂ）は（Ａ）中のＸ−Ｘ線矢視図である。
【図７】膨出部２０を構成する接続前の左パーツ２０Ａ、右パーツ２０Ｂ、及び一対に壁部３０を構成する接続前の左壁部３０Ａ、右壁部３０Ｂをそれぞれ単体として正面から見た図である。
【発明を実施するための形態】
【００２６】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２７】
図１〜図７を参照して、本発明を適用した実施形態１の男性用下着１について説明する。
【００２８】
このうち、図１は、着用状態の男性用下着１を前側左斜め上方から見た斜視図である。なお、以下では、男性用下着１の前後左右上下の方向は、これを着用する男性Ｍａを基準に定めていて、同図中の左上に矢印で示す前後左右上下の方向に対応するものとする。
【００２９】
また、図２は、未着用の男性用下着１の、下着本体１０の前側部分（前身頃）と後側部分（後身頃）とを合わせた状態における正面図である。ただし、膨出部２０の形状を整えるために、脚挿通孔１２の一部を膨らませた状態を図示している。
【００３０】
また、図３は、未着用の男性用下着１の、膨出部２０の形状が自然になるように、下着本体１０の前側部分（前身頃）を後側部分（後身頃）よりも下げて合わせた状態における正面図である。
【００３１】
これらの図に示すように、男性用下着１は、下着本体１０と、前側中央に設けられた膨出部２０と、膨出部２０の裏面側に設けられた一対の壁部３０とを備えて構成されている。なお、下着本体１０とは、男子用下着１全体から、膨出部２０、一対の壁部３０を除いた部分のことをいう。
【００３２】
男性用下着１の上端には、下着本体１０の上端からなる環状のウエスト部１１が形成されている。ウエスト部１１は、男性Ｍａの胴部（胴周り）Ｗを通す部分であり、全周にわたってゴム（不図示）が入れられていて、男性用下着１を男性Ｍａが着用した際に、胴部Ｗをゴムによって軽く締め付けるようになっている。
【００３３】
また、下着本体１０の下部における左側と右側とには、それぞれ男性Ｍａの左右の脚部Ｌ，Ｌを通す脚挿通孔１２，１２が設けられている。図示例の男性用下着１では、脚挿通孔１２，１２は、左右の脚部Ｌ，Ｌの付け根近傍に位置するようになっている。
【００３４】
なお、男性用下着１は、その全体が、複数のパーツ（生地）を型紙（不図示）に合わせて切断した後、隣接するパーツ相互を接続部Ｓで接続することにより全体が構成されている。ここで、接続部Ｓとは、後述する個別の接続部Ｓ１，Ｓ２，…を総称するものであり、接続部Ｓ１，Ｓ２，…を区別する必要がない場合に使用する。これらパーツは、伸縮性を有しており、これらパーツを接続部Ｓで接続することによって構成された男性用下着１は、全体として適度な伸縮性を有している。ここで、接続部Ｓは、縫合、熱溶着等の任意の方法によって構成することが可能である。
【００３５】
なお、接続部Ｓについては、本実施形態の説明に必要な接続部Ｓのみを説明し、他の接続部についての説明は省略する。また、以下の説明では、下着本体１０や、膨出部２０は、複数のパーツ（生地）によって構成されている場合を説明するが、この場合のパーツの形状やそれに伴う接続部Ｓの位置、形状等については、任意に設定することが可能である。また、下着本体１０や膨出部２０を接続部Ｓがない、いわゆるシームレスに形成することも可能であり、さらには、下着本体１０及び膨出部２０を含む全体をシームレスに形成することも可能である。
【００３６】
男性用下着１の下着本体１０は、図示例では、前左パーツ（左前身頃）１０Ａと前右パーツ（右前身頃）１０Ｂと後パーツ（後身頃）１０Ｃとが接続されて構成されている。下着着用時に、前左パーツ１０Ａは下腹部の左側を覆い、前右パーツ１０Ｂは下腹部の右側を覆い、後パーツ１０Ｃはヒップを覆うものである。前左パーツ１０Ａと前右パーツ１０Ｂとは、図２に示す中心線Ｃを基準として、左右対称に配置された同形のものである。前左パーツ１０Ａと後パーツ１０Ｃとは、左側部において上下に延びる接続部Ｓ１と、内股近傍の接続部Ｓ２とによって接続されている。また、前右パーツ１０Ｂと後パーツ１０Ｃとは、右側部において上下に延びる接続部Ｓ３と、内股近傍の接続部Ｓ４とによって接続されている。
【００３７】
膨出部２０は、下腹部の前側中央に上下方向に設けられて前方に膨らんで男性性器Ｍを覆うものである。膨出部２０は、左パーツ２０Ａと右パーツ２０Ｂとによって構成されている。左パーツ２０Ａと右パーツ２０Ｂとは、図１，図２に示すように、同形のものが男性用下着１の左右方向の中心線Ｃを基準に左右対称に配置され、接続部Ｓ５によって接続されている。また、左パーツ２０Ａは、左端側においてほぼ上下方向に延びる接続部Ｓ６によって前左パーツ１０Ａに接続され、下端側においてほぼ左右方向に延びる接続部Ｓ７によって後パーツ１０Ｃに接続されている。さらに、上端の接続部Ｓ８によってウエスト部１１に接続されている。
【００３８】
右パーツ２０Ｂは、上述の左パーツ２０Ａと同様である。すなわち、右パーツ２０Ｂは、右端側においてほぼ上下方向に延びる接続部Ｓ９によって前右パーツ１０Ｂに接続され、下端側においてほぼ左右方向に延びる接続部Ｓ１０によって後パーツ１０Ｃに接続されている。さらに、上端の接続部Ｓ１１によってウエスト部１１に接続されている。
図７は、膨出部２０を構成する接続前の左パーツ２０Ａ、右パーツ２０Ｂ、及び一対の壁部３０を構成する接続前の左壁部３０Ａ、右壁部３０Ｂをそれぞれ単体として正面から見た図である。
【００３９】
図７に示すように、接続前の左パーツ２０Ａ、すなわち型紙に倣って切断した単体としての左パーツ２０Ａは、接続部Ｓ５，Ｓ６，Ｓ７，Ｓ８によって囲まれている。接続部Ｓ５は、ほぼ瓢箪型に形成されている。すなわち、接続部Ｓ５は、外側（同図中における左側）に向かって緩やかに凸状に湾曲する上湾曲部ａと下湾曲部ｂとを有しており、さらに、緩やかに凹状に湾曲してこれら上湾曲部ａと下湾曲部ｂとを連結する中湾曲部ｃとを有している。一方、接続部Ｓ６は、外側（同図中の右側）に向かって緩やかに凹状に湾曲する湾曲部ｄを有している。接続部Ｓ７は、接続部Ｓ５側に対して接続部Ｓ６側が上方に位置するように傾斜している。接続部Ｓ８は、ほぼ水平に形成されている。
【００４０】
接続前の右パーツ２０Ｂ、すなわち型紙に倣って切断した単体としての左パーツ２０Ｂは、上述の左パーツ２０Ａと同形に形成されている。すなわち、右パーツ２０Ｂは、接続部Ｓ５，Ｓ９，Ｓ１０，Ｓ１１によって囲まれている。接続部Ｓ５は、左パーツ２０Ａの接続部Ｓ５と同様の上湾曲部ａと下湾曲部ｂと中湾曲部ｃを有している。一方、接続部Ｓ９は、外側（同図中の右側）に向かって緩やかに凹状に湾曲する湾曲部ｄを有している。接続部Ｓ１０は、接続部Ｓ５側に対して接続部Ｓ９側が上方に位置するように傾斜している。接続部Ｓ１１は、ほぼ水平に形成されている。
【００４１】
膨出部２０は、左パーツ２０Ａと右パーツ２０Ｂとがそれぞれの接続部Ｓ５で接続され、他の接続部Ｓ６〜Ｓ１１が上述のように下着本体１０に接続されることにより、下着着用時に、下腹部の前側中央に、上下方向に長く、前側に膨らんで男性性器Ｍを覆うようになっている。
【００４２】
さらに、下着着用時の膨出部２０は、上下方向における、左パーツ２０Ａ及び右パーツ２０Ｂの中湾曲部ｃに対応する位置が絞られて絞り部２１を構成している。この絞り部２１は、膨出部２０を下膨出部２２と上膨出部２３とに分けている。絞り部２１は、下着着用時に男性性器Ｍを直立姿勢で保持した際に、ほぼ陰嚢Ｍ１（図６参照）と陰茎Ｍ２との境界近傍に位置するようになっている。膨出部２０は、これにより、絞り部２１よりも下側の下膨出部２２が、主に陰嚢Ｍ１を保持し、絞り部２１よりも上側の上膨出部２３が、主に直立姿勢の陰茎Ｍ２の先端側を保持するようになっている。
【００４３】
図４は、図２に示す男性用下着１を表裏反転させた状態の正面図である。
図５は、図３に示す男性用下着１を表裏反転させた状態の正面図である。
図４，図５に示すように、一対の壁部３０は、膨出部２０の裏面側に配置されている。一対の壁部３０は、同形に形成された左壁部３０Ａと右壁部３０Ｂとによって構成されている。
【００４４】
図７に示すように、左壁部３０Ａは、弧状部ｅと弦状部ｆと傾斜部ｇとによって囲まれた形状となっている。弧状部ｅは、左パーツ２０Ａの湾曲部ｄよりも曲率が大きく湾曲している。弧状部ｅは、左パーツ２０Ａの下端から上端近傍まで、接続部Ｓ６に沿って弧状に接続されている。すなわち、図７の左壁部３０Ａにおける弧状部ｅと傾斜部ｇとの交点を点Ｐ１、傾斜部ｇと弦状部ｆとの交点を点Ｐ２、弦状部ｆと弧状部ｅとの交点を点Ｐ３とすると、左壁部３０Ａの弧状部ｅは、下端の点Ｐ１を、左パーツ２０Ａの下端の点（Ｐ１）に合わせ、湾曲部ｄに沿って接続されて、上端の点Ｐ３を湾曲部ｄの上端近傍の点（Ｐ３）に一致させている。上述のように、左パーツ２０Ａの湾曲部ｄと下着本体１０とが接続部Ｓ６を介して接続されているのに対し、左壁部３０Ａの弧状部ｅは、接続部Ｓ６の一部となる接続部Ｓ６ａによって左パーツ２０Ａに接続されている。
【００４５】
さらに、左壁部３０Ａは、上述の接続部Ｓ６ａで接続された後、この接続部Ｓ６ａを基準として、左パーツ２０Ａの裏面側に折り返されて、傾斜部ｇを左パーツ２０Ａの接続部Ｓ７に沿って接続されて、接続部（補強接続部）Ｓ７ａを形成している。この際、傾斜部ｇは、その長さが左パーツ２０Ａの接続部Ｓ７よりも短いので、接続部Ｓ７ａは、接続部Ｓ７よりも短く、接続部Ｓ７の一部となっている。すなわち、左壁部３０Ａの点Ｐ１は、左パーツ２０Ａの点（Ｐ１）と一致し、点Ｐ２は、接続部Ｓ７の中間の点（Ｐ２）と一致している。この接続部Ｓ７ａは、下着着用時には、点Ｐ２が点Ｐ１に対して、膨出部２０の左右方向の中心に向かって位置する。つまり、接続部（補強接続部）Ｓ７ａは、接続部Ｓ６の下端から膨出部２０の左右方向の中心に向かって延びるように形成されている。
【００４６】
傾斜部ｇは、弦状部ｆを中心線Ｃと平行に配置した際に、弦状部ｆに対して直交する線に対して角度θとなるように形成されている。この角度θが大きくなると、点Ｐ３から点Ｐ１までの距離に対して、点Ｐ３から点Ｐ２までの距離が短くなる。このため、傾斜部ｇを左パーツ２０Ａの接続部Ｓ７に接続して、接続部Ａ７ａを形成し、男性用下着１を着用した際に、引き延ばされた弦状部ｆに作用する張力が大きくなり、その分、左壁部３０Ａの形状を保持しようとする力（形状保持力）が大きくなる。このため、男性性器Ｍの左右方向の横倒れを一層確実に防止することができる。なお、この点については、次に説明する右壁部３０Ｂについても同様である。
【００４７】
右壁部３０Ｂは、上述の左壁部３０Ａと同様である。
【００４８】
すなわち、右壁部３０Ｂは、弧状部ｅと弦状部ｆと傾斜部ｇとによって囲まれた形状となっている。弧状部ｅは、右パーツ２０Ｂの湾曲部ｄよりも曲率が大きく湾曲している。弧状部ｅは、右パーツ２０Ｂの下端から上端近傍まで、接続部Ｓ９に沿って弧状に接続されている。すなわち、図７の右壁部３０Ｂにおける弧状部ｅと傾斜部ｇとの交点を点Ｐ１、傾斜部ｇと弦状部ｆとの交点を点Ｐ２、弦状部ｆと弧状部ｅとの交点を点Ｐ３とすると、右壁部３０Ｂの弧状部ｅは、下端の点Ｐ１を、右パーツ２０Ｂの下端の点（Ｐ１）に合わせ、湾曲部ｄに沿って接続されて、上端の点Ｐ３を湾曲部ｄの上端近傍の点（Ｐ３）に一致させている。上述のように、右パーツ２０Ｂの湾曲部ｄと下着本体１０とが接続部Ｓ９を介して接続されているのに対し、右壁部３０Ｂの弧状部ｅは、接続部Ｓ９の一部となる接続部Ｓ９ａによって右パーツ２０Ｂに接続されている。
【００４９】
さらに、右壁部３０Ｂは、上述の接続部Ｓ９ａで接続された後、この接続部Ｓ９ａを基準として、右パーツ２０Ｂの裏面側に折り返されて、傾斜部ｇを右パーツ２０Ｂの接続部Ｓ１０に沿って接続されて、接続部（補強接続部）Ｓ１０ａを形成している。この際、傾斜部ｇは、その長さが右パーツ２０Ｂの接続部Ｓ１０よりも短いので、接続部Ｓ１０ａは、接続部Ｓ７よりも短く、接続部Ｓ１０の一部となっている。すなわち、左壁部３０Ａの点Ｐ１は、右パーツ２０Ｂの点（Ｐ１）と一致し、点Ｐ２は、接続部Ｓ１０の中間の点（Ｐ２）と一致している。この接続部Ｓ１０ａは、下着着用時には、点Ｐ２が点Ｐ１に対して、膨出部２０の左右方向の中心に向かって位置する。つまり、接続部（補強接続部）Ｓ１０ａは、接続部Ｓ９の下端から膨出部２０の左右方向の中心に向かって延びるように形成されている。
【００５０】
上述の一対の壁部３０、すなわち左壁部３０Ａ、右壁部３０Ｂは、例えば、伸縮性のあるメッシュによって形成されている。
図６（Ａ）は着用状態の男性用下着１における左壁部３０Ａ（壁部３０）を模式的に説明する図であり、（Ｂ）は（Ａ）中のＸ−Ｘ線矢視図である。
図６（Ａ）に示すように、左壁部３０Ａ及び右壁部３０Ｂは、その接続部Ｓ７（Ｓ７ａ）の前後方向の位置が、男性Ｍａの陰嚢Ｍ１の付け根Ｍ３と肛門Ｍ４との間を会陰部Ｍ５とした場合に、付け根Ｍ３よりも後側の、会陰部Ｍ５上に位置している。
【００５１】
なお、接続部Ｓ７の位置は、付け根Ｍ３から２〜３ｃｍ後側の位置が好適である。下着着用時には、弦状部ｆが張力を持って男性Ｍａの下腹部に密着されることになるが、２ｃｍ未満の場合には、弦状部ｆの張力が小さくて一対の壁部３０の自身の形状保持力が弱い。一方、３ｃｍを超える場合には、弦状部ｆの張力が大きくなって、下腹部を不要に締め付けることになる。
【００５２】
なお、傾斜部ｇを設けるのに代えて、角度θが０の水平部を設けたり、さらに、この水平部を省略して弧状部ｅと弦状部ｆとが交差するようにしたりしてもよい。ただし、傾斜部ｇや水平部を設けて、接続部Ｓ７ａを確保した場合には、下着着用時に、左壁部３０Ａ，右壁部３０Ｂは、弦状部ｆが線状に下腹部に密着されるのではなく、弦状部ｆを含む点Ｐ１，Ｐ２，Ｐ３で囲まれた三角形状の部分が面状に下腹部に密着されることになる。このため、弦状部ｆが線状に密着される場合と比較して、密着を確実にすることができるとともに、密着力が線状の部分に集中されることなく面全体に分散されるので、不要に締め付けられるような不快感を防止することができる。さらに、角度θ（０＜θ＜９０度）を持って傾斜部ｇを設けた場合には、上述のように、角度θを大きくとるほど、点Ｐ３から点Ｐ１までの距離に対して、点Ｐ３から点Ｐ２までの距離が短くなる。このため、傾斜部ｇを左パーツ２０Ａの接続部Ｓ７に接続して、接続部Ａ７ａを形成し、男性用下着１を着用して、三角形Ｐ１，Ｐ２，Ｐ３が引き延ばされた際に、点Ｐ３，Ｐ１間に作用する張力よりも、弦状部ｆ〈点Ｐ３，Ｐ２間〉に作用する張力が大きくなり、その分、弦状部ｆが膨出部２０全体を吊り下げる作用が増大される。
【００５３】
また、左壁部３０Ａ及び右壁部３０Ｂは、その上端側の点Ｐ３の高さ位置が、下着着用時に直立姿勢で男性性器Ｍを保持した場合に、陰茎Ｍ２の先端よりも上に位置するようになっている。
【００５４】
また、図６（Ｂ）に示すように、膨出部２０（左パーツ２０Ａ、右パーツ２０Ｂ）と一対の壁部３０（左壁部３０Ａ、右壁部３０Ｂ）とによって、男性性器Ｍを収納する収納室Ｒを構成している。
【００５５】
次に、上述構成の男性用下着１の作用・効果について説明する。
（１）男性用下着１は、膨出部２０の裏面側に左壁部３０Ａ、右壁部３０Ｂが設けられているが、表面側は、一般的な男性用下着と同様な形状であるため、初めて着用する男性Ｍａであっても、左壁部３０Ａ、右壁部３０Ｂが男性性器Ｍを収納するものであることは、一見して分かるので、表裏を間違えて着用するおそれがない。
（２）男性用下着１は、下着着用時に左壁部３０Ａ、右壁部３０Ｂが引き延ばされて張力が発生してそれぞれ接続部Ｓ６ａ、Ｓ９ａから立ち上がって壁を構成する。このため、膨出部２０と左壁部３０Ａ、右壁部３０Ｂとによって、男性性器Ｍの前面側及び左右の側面側を囲う収納室Ｒを構成することができるので、直立姿勢に保持された男性性器Ｍに対し、膨出部２０が主に前方に型崩れするのを防止し、左壁部３０Ａ、右壁部３０Ｂが主に左右方向に型崩れするのを防止することができる。つまり、男性性器Ｍの直立姿勢を良好に保持することができる。
（３）下着着用時に、左壁部３０Ａ、右壁部３０Ｂの弦状部（開放部）ｆが引き延ばされて張力が発生する。これにより、左壁部３０Ａ、右壁部３０Ｂは、弦状部（開放部）ｆが下腹部に押し付けられるので、男性性器Ｍが左右方向に型崩れすることを確実に防止することができる。
（４）左壁部３０Ａ、右壁部３０Ｂの上端が、直立姿勢の男性性器Ｍの陰茎Ｍ２の先端よりも上方に位置するので、陰茎Ｍ２の先端側が左右に倒れることを確実に防止することができる。
（５）左壁部３０Ａ、右壁部３０Ｂの下端が会陰部Ｍ５に位置していて、これらが陰嚢Ｍ１の付け根Ｍ３よりも前側に位置している場合と比較して、弦状部ｆが長い距離にわたって下腹部を押圧するので、男性性器Ｍの左右方向の型崩れを確実に防止することができる。さらに、陰嚢Ｍ１が脚部Ｌにおける付け根部分に接触することを防止して、接触に起因する不快感や不衛生を防止することができる
（６）左壁部３０Ａ、右壁部３０Ｂは、下端側に傾斜部ｇを有していて、これが左右方向に向く接続部Ｓ７ａ，Ｓ１０ａを構成するため、左壁部３０Ａ、右壁部３０Ｂ自体の立ち上がる力がより強力になるとともに、陰嚢Ｍ１が脚部Ｌの付け根部分に接触することを一層確実に防止することができる。なお、接続部Ｓ７ａ，Ｓ１０ａは必ずしも設ける必要はないが、設けた場合には、上述のような効果がある。
（７）膨出部２０が絞り部２１を有していて、これよりも下側の、主に陰嚢Ｍ１を保持する下膨出部２２と、絞り部２１よりも上側の、主に直立姿勢の陰茎Ｍ２の先端側を保持する上膨出部２３とを有しているので、直立姿勢の男性性器Ｍを一層、確実に保持することができる。さらに、左壁部３０Ａ、右壁部３０Ｂにより、直立姿勢の男性性器Ｍの左右方向の不要な型崩れを有効に防止することができることと、絞り部２１を有することとがあいまって、例えば、男性性器Ｍを直立状態で保持するのではなく、陰茎Ｍ２を陰嚢Ｍ１の前側に倒した状態で、陰茎Ｍ２と陰嚢Ｍ１の双方を下膨出部２２に座りよく収納することが可能である。なお、絞り部２１は必ずしも設ける必要はないが、設けた場合には、上術のような効果を奏する。
【００５６】
以上の実施形態では、男性用下着１について、下着本体１０と膨出部２０との境界に対応して、接続部Ｓ６〜Ｓ１１を設けた場合を例に説明したが、例えば、シームレスによる立体加工により、これら接続部Ｓ６〜Ｓ１１は適宜省略することが可能である。
【００５７】
以上の実施形態では、本発明を、前立て（前開き）のない男性用下着１に適用した例を説明したが、本発明は、前立て（前開き）のある男性用下着に適用することも可能である。
以上の実施形態では、図１〜図３に示すように、膨出部２０の形状を、そのほぼ上下方向に延びる接続部Ｓ６，Ｓ９の上部に位置する部分が上側ほど徐々に接続部Ｓ５に接近する形状に、つまり接続部Ｓ６，Ｓ９の間隔が上側ほど狭まる形状に構成した。これにより、接続部Ｓ６，Ｓ９の上部に位置する部分がほぼ等間隔の形状や、上側ほど広がる形状の構成された場合と比較して、膨出部２０全体で、男性性器Ｍを得から吊り下げるような作用、いわゆるハンモックのような作用が大きくなって、その分、男性性器Ｍの保持力が向上する。そして、この保持力の向上と、一対の壁部３０とによって、一層、男性性器Ｍを直立状態で確実に保持することが可能となる。
【符号の説明】
【００５８】
１  男性用下着
１０  下着本体
１１  ウエスト部
１２  脚挿通部
２０  膨出部
２０Ａ  左パーツ
２０Ｂ  右パーツ
２１  絞り部
２２  下膨出部
２３  上膨出部
３０  壁部
３０Ａ  左壁部
３０Ｂ  右壁部
Ｃ  中心線
ｅ  弧状部（接続部Ｓ６ａ，Ｓ９ａ）
ｆ  弦状部（開放部）
ｇ  傾斜部
Ｌ  脚部
Ｍ  男性性器
Ｍａ  男性
Ｍ１  陰嚢
Ｍ２  陰茎
Ｍ３  陰嚢の付け根
Ｍ４  肛門
Ｍ５  会陰部
Ｓ６ａ，Ｓ９ａ  接続部
Ｓ７ａ，Ｓ１０ａ  接続部（補強接続部）
Ｗ  胴部（胴周り）
【図１】
2014058753.tif 000003
【図２】
2014058753.tif 000004
【図３】
2014058753.tif 000005
【図４】
2014058753.tif 000006
【図５】
2014058753.tif 000007
【図６】
2014058753.tif 000008
【図７】
2014058753.tif 000009